(57)【要約】【課題】簡易な構成によって、回転軸と締付けねじとの共回りの規制・解除の切替を確実に行うことができる携帯用作業機の提供。【解決手段】駆動源２１と、一端部が駆動源２１に接続され、駆動源２１の駆動力によって回転する第１軸３２と、第１軸３２の回転力により回転する第２軸５３と、第１軸３２の他端部を覆うギヤケース５１と、ギヤケース５１内に設けられ、第１軸３２と第２軸５３とを接続し、第１軸３２の回転力を第２軸５３に伝達するギヤ５２部と、第２軸５３と一体的に回転し処理対象を処理する作業部５４と、螺合して作業部５４を第２軸５３に固定するねじ５７と、ギヤケース５１を覆い、第２軸５３の回転を規制する規制位置と第２軸５３の回転の規制を解除する解除位置との間でギヤケース５１に対し移動可能なカバー５９と、を備えたことを特徴とする携帯用作業機である。【選択図】図３
2014233232.tif 000002
【特許請求の範囲】
【請求項１】
駆動源と、
一端部が該駆動源に接続され、該駆動源の駆動力によって回転する第１軸と、
該第１軸の回転力により回転する第２軸と、
該第１軸の他端部を覆うギヤケースと、
該ギヤケース内に設けられ、該第１軸と該第２軸とを接続し、該第１軸の回転力を該第２軸に伝達するギヤ部と、
該第２軸と一体的に回転し処理対象を処理する作業部と、
螺合して該作業部を該第２軸に固定するねじと、
該ギヤケースを覆い、該第２軸の回転を規制する規制位置と該第２軸の回転の規制を解除する解除位置との間で該ギヤケースに対し移動可能なカバーと、を備えたことを特徴とする携帯用作業機。
【請求項２】
一端が該ギヤケースに接続され他端が該カバーに接続され、該カバーを解除位置に付勢する弾性部材がさらに設けられることを特徴とする請求項１に記載の携帯用作業機。
【請求項３】
該第２軸の一端部には該ギヤ部が接続され、他端部には該作業部が接続され、
該ギヤケースは、該第２軸の該一端部側に位置する頭頂部を有し、
該カバーは、該頭頂部と対向する対向面を有し、
該弾性部材は、該一端を該頭頂部に接続され、該他端を該対向面に接続されることを特徴とする請求項２に記載の携帯用作業機。
【請求項４】
該カバーは、開口が形成された開口部を有し、
該ギヤケースの一部は、該開口を介して該カバー外へ突出し、
該開口部と該ギヤケースとの間には、該開口部と該ギヤケースの間に形成される隙間を塞ぐシール部材がさらに設けられることを特徴とする請求項１乃至３のいずれか一項に記載の携帯用作業機。
【請求項５】
該カバーは、該ギヤケースに向けて突出する規制部材を有し、
該ギヤケースは、該規制部材を挿通可能な貫通孔が形成された挿通部を有し、
該第２軸と一体に回転し、該規制部材が係合可能な係合部を有し、
該カバーが該規制位置にあるとき該規制部材は該係合部に係合し、該カバーが該解除位置にあるとき該規制部材は該係合部との係合が解除されることを特徴とする請求項１乃至４のいずれか一項に記載の携帯用作業機。
【請求項６】
該係合部は、該作業部の回転方向において所定の間隔を隔てて設けられることを特徴とする請求項５に記載の携帯用作業機。
【請求項７】
該係合部には、該規制部材の外径よりも大きい径を有する貫通孔が形成されることを特徴とする請求項５又は請求項６に記載の携帯用作業機。
【請求項８】
該第２軸の一端部には該ギヤ部が接続され、他端部には該作業部が接続され、
該カバーは、該第２軸の軸方向において移動可能であって、
該規制位置は該解除位置よりも該作業部側に位置することを特徴とする請求項１乃至７のいずれか一項に記載の携帯用作業機。
【請求項９】
該第２軸の軸方向と平行に延び、該軸方向における該カバーと該作業部との隙間を塞ぐカバー部材がさらに設けられることを特徴とする請求項８に記載の携帯用作業機。
【請求項１０】
該ギヤケースは、該カバーを該解除位置と該規制位置との間において移動可能に案内する案内部を有することを特徴とする請求項１乃至９のいずれか一項に記載の携帯用作業機。
【請求項１１】
該カバーが該規制位置又は該解除位置にあることを示す指示手段がさらに設けられることを特徴とする請求項１乃至１０のいずれか一項に記載の携帯用作業機。
【発明の詳細な説明】
【技術分野】
【０００１】
本発明は携帯用作業機に関し、特に刈払機やディスクグラインダ等の回転作業を行う携帯用作業機に関する。
【背景技術】
【０００２】
従来の携帯用作業機の一例として刈払機やディスクグラインダなどがある。例えば従来の刈払機は、駆動軸と、駆動軸に締付けねじによって固定される刈刃と、を備える。刈刃は駆動軸と一体的に回転し雑草等の刈払作業を行うことができる。一方、刈刃の交換作業を行う際には、締付けねじを駆動軸に対して回転させるために、締付けねじ及び駆動軸の共回りを規制する必要がある。共回りを規制する構成として、例えば、特許文献１では、ギヤケース外側に突出し案内溝に沿って移動可能な係止ピンと、刈刃を保持する部材に設けられ係止ピンが係合可能なボスとを、備えている。
【先行技術文献】
【特許文献】
【０００３】
【特許文献１】実開平４−１１０４３１号公報
【発明の概要】
【発明が解決しようとする課題】
【０００４】
しかしながら、特許文献１の構成によれば、係止ピンがギヤケース外部に突出しているため、草刈作業で泥や刈草が案内溝に絡まった場合には、係止ピンの操作が困難になったり、係止ピンが意図せず共回り規制位置に移動して誤作動を起こしたりする可能性が生じるという問題があった。さらに、草刈作業中に係止ピンの位置が確認しにくいという問題もある。
【０００５】
そこで本発明は、簡易な構成によって、回転軸と締付けねじとの共回りの規制・解除の切替を確実に行うことができる携帯用作業機を提供することを目的とする。
【課題を解決するための手段】
【０００６】
係る目的を達成するため本発明は、駆動源と、一端部が該駆動源に接続され、該駆動源の駆動力によって回転する第１軸と、該第１軸の回転力により回転する第２軸と、該第１軸の他端部を覆うギヤケースと、該ギヤケース内に設けられ、該第１軸と該第２軸とを接続し、該第１軸の回転力を該第２軸に伝達するギヤ部と、該第２軸と一体的に回転し処理対象を処理する作業部と、螺合して該作業部を該第２軸に固定するねじと、該ギヤケースを覆い、該第２軸の回転を規制する規制位置と該第２軸の回転の規制を解除する解除位置との間で該ギヤケースに対し移動可能なカバーと、を備えたことを特徴とする携帯用作業機を提供している。
【０００７】
このような携帯用作業機によれば、作業者がカバーを操作し規制位置に移動させることによって、第２軸の回転を規制することができる。よって、刈刃やナイロンコード等の作業部を交換する際に、作業部を第２軸に固定しているねじを外すための回転力によって第２軸が共回りすることを防止することができる。また、ギヤケースを覆うカバーを設けたことにより、例えば携帯用作業機が刈払機の場合には刈草はカバーに巻きつくため、ギヤケース内に刈草が侵入して刈刃の回転を阻害することを防止できる。仮に刈草が巻き付いたとしてもカバーの周りに巻き付くので、容易に刈草を取り除くことができる。また、第２軸の回転を規制するための部材が、カバー及びギヤケースの外にないので、当該部材に刈草が引っかかって第２軸の回転を規制することができず、作業部を取り外せないということがない。更に、刈草が巻き付いた状態であっても、カバーは影響なく操作が可能であり、規制位置に移動させることができるため、作業部を取り外すことができるとともに、巻き付いた刈草を作業部を取り外した状態で容易に除去することができる。
【０００８】
ここで、携帯用作業機は、一端が該ギヤケースに接続され他端が該カバーに接続され、該カバーを解除位置に付勢する弾性部材をさらに有する。
【０００９】
このような携帯用作業機によれば、弾性部材の付勢力によってカバーを解除位置に保持することができる。カバーに外力がかかっていないとき、第２軸の回転は規制されない。換言すれば、作業者がカバーを操作しないときにはカバーは自動的に解除位置に位置し、作業者が意図してカバーを操作させたときにのみ、カバーを規制位置に位置させることができる。よって、実際には第２軸の回転規制が解除されていないのに作業者が回転規制を解除したと認識して、携帯用作業機が誤作動することを防止できる。
【００１０】
また、該第２軸の一端部には該ギヤ部が接続され、他端部には該作業部が接続され、  該ギヤケースは、該第２軸の該一端部側に位置する頭頂部を有し、該カバーは該頭頂部と対向する対向面を有し、該弾性部材は、該一端を該頭頂部に接続され、該他端を該対向面に接続される。
【００１１】
このような携帯用作業機によれば、弾性部材はギヤケースの頭頂部及びカバーの対向部に接続されているので、作業部周辺の構成を複雑にすることなく、カバーを解除位置に付勢することができる。
【００１２】
また、携帯用作業機には、該カバーは開口が形成された開口部を有し、該ギヤケースの一部は該開口を介して該カバー外へ突出し、該開口部と該ギヤケースとの間には該開口部と該ギヤケースの間に形成される隙間を塞ぐシール部材がさらに設けられている。  このような携帯用作業機によれば、カバー内に刈草が侵入することを防止することができる。
【００１３】
また、該カバーは該ギヤケースに向けて突出する規制部材を有し、該ギヤケースは、該規制部材を挿通可能な貫通孔が形成された挿通部を有し、該第２軸と一体に回転し、該規制部材が係合可能な係合部を有し、該カバーが該規制位置にあるとき該規制部材は該係合部に係合し、該カバーが該解除位置にあるとき該規制部材は該係合部との係合が解除されるように構成されている。
【００１４】
このような携帯用作業機によれば、カバーに設けられた規制部材を係合部に係合させて第２軸の回転を規制することができる。よって、簡易な構成によって、第２軸の回転を規制することができる。
【００１５】
また、該係合部は該作業部の回転方向において所定の間隔を隔てて設けられる。このような構成によれば、作業部を回転させて複数の係合部のうちのいずれかに規制部材を係合して、第２軸の回転を規制することができる。よって、カバーを規制位置に移動させる際の規制部材と係合部との位置合わせが容易になる。
【００１６】
また、該係合部には、該規制部材の外径よりも大きい径を有する貫通孔が形成されている。このような携帯用作業機によれば、貫通孔内に規制部材が位置することによって、第２軸の回転を規制することができる。
【００１７】
また、該第２軸の一端部には該ギヤ部が接続され、他端部には該作業部が接続され、  該カバーは、該第２軸の軸方向において移動可能であって、該規制位置は該解除位置よりも該作業部側に位置する。
【００１８】
このような携帯用作業機によれば、刈刃及びナイロンコード等の作業部を交換する際に、カバーが当接するように携帯用作業機を地面や作業台上に載置することで、携帯用作業機の自重によりカバーは自動的に解除位置から規制位置へ移動させることができる。よって、作業部を交換する際の作業効率が向上する。
【００１９】
また、携帯用作業機には、該第２軸の軸方向と平行に延び、該軸方向における該カバーと該作業部との隙間を塞ぐカバー部材がさらに設けられている。このような携帯用作業機によれば、カバーと作業部との間に刈草等が侵入することがないので、メンテナンス性が向上する。
【００２０】
また、該ギヤケースは、該カバーを該解除位置と該規制位置との間において移動可能に案内する案内部を有する。このような携帯用作業機によれば、案内部によってカバーはギヤケース上を摺動することができる。よって、カバーを意図しない方向に移動させてしまい、各部材が破損したり係合が解除されてしまったりすることを防止することができる。
【００２１】
また、携帯用作業機には、該カバーが該規制位置又は該解除位置にあることを示す指示手段がさらに設けられる。このような携帯用作業機によれば、作業者は指示手段によってカバーが規制位置にあるのか解除位置にあるのかを視認することができる。よって、携帯用作業機を誤操作することを防止することができる。
【発明の効果】
【００２２】
本発明による携帯用作業機によれば、簡易な構成によって、回転軸と締付けねじとの共回り規制・解除の切替を確実に行うことができる。
【図面の簡単な説明】
【００２３】
【図１】本発明の第１の実施の形態による携帯用作業機としての刈払機を示す側面図。
【図２】本発明の第１の実施の形態による刈払機のカバーが解除位置にあるときの先端部を示す一部断面側面図。
【図３】本発明の第１の実施の形態による刈払機のカバーが規制位置にあるときの先端部を示す一部断面側面図。
【図４】本発明の第１の実施の形態による刈払機のギヤケース及びカバーを示す組立図。
【図５】本発明の第１の実施の形態による刈払機の刃受け金具及び巻きつき防止カバーを示す上面図。
【図６】本発明の第１の実施の形態による刈払機のカバーを示す内側面図。
【図７】本発明の第１の実施の形態による刈払機のカバーを示す外側面図。
【図８】本発明の第１の実施の形態による刈払機の交換作業状態を示す図。
【図９】本発明の第２の実施の形態による刈払機の刃受け金具及び巻きつき防止カバーを示す上面図。
【図１０】本発明の第３の実施の形態による刈払機を地面に載置した状態を示す図。
【発明を実施するための形態】
【００２４】
以下、本発明の第１の実施の形態による携帯用作業機としての刈払機について図１から図８を参照して説明する。刈払機１は、駆動源としてのエンジン２１を有する動力部２と、パイプ部３と、先端部５と、ハンドル部６とを有する。以下の説明においては、先端部５側を前側、動力部２側を後側として説明する。
【００２５】
パイプ部３は、動力部２の前端部から前方に延び、パイプ本体３１とパイプ本体３１内に延びるシャフト３２を有する。シャフト３２は、一端部が図示せぬクランクシャフト等を介してエンジン２１と接続され、エンジン２１の駆動力によって回転可能にパイプ本体３１内に支承されている。シャフト３２は第１軸に相当する。
【００２６】
先端部５は、図１に示されるように、パイプ部３の前端部に保持されている。図２に示されるように、ギヤケース５１と、ギヤ部５２と、回転軸５３と、刈刃５４と、刃受け金具５５と、刃押さえ金具５６と、ねじ５７と、巻きつき防止カバー５８と、カバー５９とを有する。回転軸５３は第２軸に相当し、刈刃５４は作業部に相当し、刃受け金具５５、及び、刃押さえ金具５６により第２軸に取り付けられる。巻きつき防止カバー５８はカバー部材に相当する。以下の説明においては、カバ−５９側を上側、ねじ５７側を下側とし、回転軸５３の軸方向を上下方向として説明する。
【００２７】
ギヤケース５１は、パイプ部３のシャフト３２の他端部を覆うように設けられている。図２乃至図４に示されるように、ギヤケース５１は、上下方向に延びる略円筒形状の主部５１Ａと、主部５１Ａの下端から径方向に突出するおさえ部５１Ｂと、主部５１Ａの軸方向に対し所定角度傾いた方向に延びる接続部５１Ｃとを有する。主部５１Ａは、後述の回転軸５３の上端部側に位置する頭頂部５１Ｄを有している。主部５１Ａの外周面には、カバー５９を上下方向に移動可能に案内する案内レール５１Ｅが設けられている。おさえ部５１Ｂは、主部５１Ａと同軸であって、後述の刃受け金具５６の外形よりも大きい径を有しており、刃受け金具５５の外周面を覆っている。おさえ部５１Ｂには、主部５１Ａの軸方向と平行な方向に貫通する貫通孔５１ａが形成されている。おさえ部５１Ｂは挿通部に相当する。
【００２８】
ギヤケース５１内には、シャフト３２と回転軸５３とを接続し、シャフト３２の回転力を回転軸５３に伝達するギヤ部５２が設けられている。ギヤ部５２は、接続部５１Ｃ内に設けられる第１ギヤ５２Ａと第１軸受５２Ｂと、主部５１Ａ内に設けられる第２ギヤ５２Ｃ及び第２軸受５２Ｄと、を有する。
【００２９】
第１ギヤ５２Ａは、第１軸受５２Ｂによって回転可能に支承されシャフト３２の一端部が挿入可能な略円筒状の軸部５２ＡＡと、軸部５２ＡＡから径方向外側に突出する歯部５２ＡＢとを有する。第２ギヤ５２Ｃは、第１ギヤ５２Ａの歯部５２ＡＢと係合し、第２軸受５２Ｄによって回転可能に支承されている。
【００３０】
回転軸５３は、上下方向に延びる略円柱形状であって、ギヤケース５１に対して回転可能に支承されている。回転軸５３は、一端部（上端部）が第２ギヤ５２Ｃに圧入若しくは溝により係合されて接続され、他端部（下端部）はギヤケース５１から突出している。換言すれば、回転軸５３は第２ギヤ５２Ｃと一体的に回転可能に構成されている。下端部の一部にはねじ溝５３ａが形成されており締付けねじ５７が螺合されている。下端部であってねじ溝５３ａが形成されていない部分には刈刃５４と、刃受け金具５５と、刃押さえ金具５６とが固定されている。
【００３１】
刈刃５４は、上面５４Ａと下面５４Ｂを有する金属製の略円板状に構成され、外周部分に鋸刃が形成され、円板状の略中央部分には孔５４ａが形成されている。
【００３２】
刃受け金具５５は、金属製の略円板状であって、巻きつき防止カバー５８を介して刈刃５４の上面５４Ａと当接する刃受け部５５Ａと、円板状の略中央部分に位置し刃受け部５５Ａから下側に突出する突出部５５Ｂと、を有する。突出部５５Ｂの略中央部分には、回転軸５３が挿通可能な係合孔５５ａが形成され、係合孔５５ａを規定する係合面は回転軸５３の外周面とスプライン等によって係合可能に構成されている。刃受け部５５Ａには、円周方向（刈刃５４の回転方向）において所定の間隔を隔てて複数の貫通孔５５ｂが形成されている。貫通孔５５ｂの径は、後述の規制部材５９Ｃの外径よりも大きい。刃受け部５５Ａの貫通孔５５ｂが形成された部分が係合部に相当する。
【００３３】
刃押さえ金具５６は、刈刃５４の他面５４Ｂと当接する当接部５６Ａと、締付けねじ５７による締付け力を受ける受け部５６Ｂとを有している。受け部５６の中央部分には、回転軸５３が挿通可能な貫通孔５６ａが形成されている。
【００３４】
締付けねじ５７は、回転軸５３のねじ溝５３ａに係合可能なナットであって、螺合して保護部材５７Ａを介して刃押さえ金具５６と当接することによって、刈刃５４、刃受け金具５５、及び刃押さえ金具５６を回転軸５３に対して移動不能に固定している。保護部材５７Ａは、回転軸５３の他端部及び締付けねじ５７を配置する凹部５７Ｂを有する。凹部５７Ｂの深さは、保護部材５７Ａから締付けねじ５７が突出する長さよりも長いため、回転軸５３及び締付けねじ５７が地面等に接することを防止できる。
【００３５】
巻付き防止カバー５８は、上方に解放された略円筒形状であって、略円板状の底板５８Ａと、底板５８Ａの外周部から上方に突出する側壁５８Ｂとを有する。換言すれば、側壁５８Ｂは、回転軸５３の軸方向と平行に延びる。底板５８Ａの中央部分には、刃受け金具５５の突出部５５Ｂの径よりも僅かに大きい貫通孔５８ａが形成されている。底板５８Ａは、突出部５５Ｂが貫通孔５８ａ内に位置するように配置され、刃受け部５５Ａ及び刈刃５４に挟まれて固定されている。側壁５８Ｂの上下方向における長さは、後述する解除位置と規制位置との間の距離よりも長い。このような構成により、側壁５８Ｂは、回転軸５３の軸方向におけるカバー５９と刈刃５４との間の隙間を塞ぐことができる。
【００３６】
以上より、締付けねじ５７の締付け力により、刈刃５４は、刃押さえ金具５６と刃受け金具５５との間に挟持され回転軸５３に対して移動不能に固定される。刈刃５４は、動力部２の駆動源に接続されて回転軸５３と一体的に回転駆動され、処理対象を処理する。
【００３７】
カバー５９は、図４に示されるように、一対の半割部材を図示せぬねじで固定することにより構成され、ギヤケース５１を覆っている。カバー５９は、回転軸５３の回転を規制する規制位置（図３）と回転軸５３の回転の規制を解除する解除位置（図２）との間でギヤケース５１に対して上下方向に移動可能に構成されている。カバー５９はギヤケース５１に対して回転不能に支持されている。カバー５９の下端部の外形は、図２に示されるように、巻きつき防止カバー５８の側壁５８Ｂの径よりも小さい。換言すれば、カバー５９の下端部の側面は、巻きつき防止カバー５８に覆われている。
【００３８】
カバー５９は、ギヤケース５１の接続部５１Ｃが挿通可能な開口５９ａが形成される開口部５９Ａと、ギヤケース５１の頭頂部５１Ｄと対向する対向部５９Ｂと、規制部材５９Ｃと、規制部材５９Ｃを保持する保持部５９Ｄと、指示部５９Ｅと、突出部５９Ｆと、固定部５９Ｇと、が設けられている。
【００３９】
規制部材５９Ｃは、ギヤケース５１に向けて突出し、上端部が保持部５９Ｄに保持され、ギヤケース５１の貫通孔５１ａ内に配置されている。規制部材５９Ｃは、上下方向に延びる略円柱形状であって、貫通孔５５ｂの径及び貫通孔５１ａの径よりも小さい外径を有する。
【００４０】
図４及び図６に示されるように、カバー５９には、カバー５９の内側面から径方向内側に向けて突出する突出部５９Ｆが設けられている。突出部５９Ｆは、ギヤケース５１の案内レール５１Ｅ内を摺動可能に案内される。
【００４１】
ギヤケース５１とカバー５９の間には、一端部をギヤケース５１の頭頂部５１Ｄに接続され、他端部がカバー５９の対向部５９Ｂに接続される第１ばね９１が設けられている。第１ばね９１はカバー５９を図２に示す解除位置に付勢する。
【００４２】
カバー５９の保持部５９Ｄの近傍には、一端部をカバー５９の固定部５９Ｇに固定され、他端部がギヤケース５１のおさえ部５１Ｂの上端部に固定される第２ばね９２が設けられている。第２ばね９２はカバー５９を図２に示す解除位置に付勢する。
【００４３】
また、カバー５９の開口部５９Ａとギヤケース５１の接続部５１Ｃとの間には、開口部５９Ａと接続部５１Ｃとの間に形成される隙間を塞ぐシール部材９３が設けられている。シール部材９３は、例えばスポンジ等の外力に応じて変形可能な材料からなる。
【００４４】
指示部５９Ｅは、図７に示されるように、ギヤケース５１の外周面に設けられ、カバー５９の位置を表示するランプであり作業者への放置手段として作用するものである。指示部５９Ｅは、図示せぬセンサ等の検出手段によってカバー５９の位置を検出し、カバー５９が図２に示される解除位置にあるときには緑色の光を、図３に示される規制位置にあるときには赤色の光を発光する。
【００４５】
図１に示されるように、ハンドル部６は、一対の腕部を有しパイプ本体３１に接続されるアーム６１と、アーム６１の一対の腕の先端に配置されたハンドル６２と、一方のハンドル６２に設けられ、エンジン２１と図示せぬスロットルケーブルを介して接続されてエンジン２１の出力調整を行うスロットル６３とを有している。
【００４６】
刈払作業を行う際には、まず、作業者がスロットル６３を操作して、エンジン２１の回転力がパイプ部３のシャフト３２を回転させる。シャフト３２が回転すると、第１ギヤ５２Ａ及び第２ギヤ５２Ｃを介して回転力が伝達され、回転軸５３が回転する。回転軸５３が回転すると、回転軸５３に締付けねじ５７によって一体的に固定された刈刃５４が回転し刈払作業を行うことができる。なお、刈払作業中は、第１ばね９１及び第２ばね９２によってカバー５９が解除位置（図２）に付勢されているので、規制部材５９Ｃは刃受け部５５Ａに形成された貫通孔５５ｂ外に位置する。よって、規制部材５９Ｃが刃受け金具５５に係合していないので、刃受け金具５５はカバー５９及びギヤケース５１に対する回転が規制されていない。このため、刃受け金具５５と係合する回転軸５３の回転も規制されておらず、回転軸５３、刈刃５４、刃受け金具５５、刃押さえ金具５６、締付けねじ５７、及び、巻き付き防止カバー５８は一体的に回転することができる。
【００４７】
次に、刈刃５４の交換作業について説明する。刈刃５４を回転軸５３から取り外す際には、図８に示されるように、作業台等の平面上にカバー５９の上面が当接するように刈払機１を逆向きに載置する。次に、刃受け金具５５をカバー５９及びギヤケース５１に対して回転させ、規制部材５９Ｃと複数の貫通孔５５ｂのうちいずれかとの位置合わせを行う。図２に示されるように規制部材５９Ｃが貫通孔５５ｂと重なる位置に配置されたとき、カバー５９の自重又は作業者の操作によって、第１ばね９１及び第２ばね９２の付勢力に抗して、カバー５９を刈刃５４側に押下して規制位置へ移動させることができる。
【００４８】
図３に示されるように、カバー５９が規制位置に移動することにより、規制部材５９Ｃが刃受け金具５５の貫通孔５５ｂ内に侵入して係合する。規制部材５９Ｃが刃受け金具５５に係合することにより、刃受け金具５５に係合する回転軸５３がギヤケース５１に対して回転不能に固定される。よって、締付けねじ５７を回転軸５３に対して回転させて取外すことができる。
【００４９】
新たな刈刃５４を装着する際には、刈刃５４の貫通孔５４ａを回転軸５３に挿通して巻き付き防止カバー５８を介して刈刃５４を刃受け部５５Ｂ上に載置し、さらに刈刃５４上に刃押さえ金具５６を載置し、刃押さえ金具５６に保護部材５７Ａを載置する。この状態において、締付けねじ５７を回転軸５３のねじ溝５３ａに螺合させることによって、刈刃５４、刃受け金具５５、刃押さえ金具５６、及び、巻き付き防止カバー５８を回転軸５３に対して回転不能に固定する。
【００５０】
刈刃５４の交換後に刈払機１の元の姿勢（図２に示すようにカバー５９が上側に位置する姿勢）に戻すと、第１ばね９１及び第２ばね９２によって、カバー５９は刈刃５４から離れる方向に付勢されて解除位置へ移動する。規制部材５９Ｃは、カバー５９の移動に伴い、貫通孔５５ｂ外へと移動する。これにより、刃受け金具５５の回転の規制が解除されて、刃受け金具５５と係合する回転軸５３の回転の規制も解除される。
【００５１】
上述の刈払機１によれば、作業者がカバー５９を操作し規制位置に移動させることによって、回転軸５３の回転を規制することができる。よって、刈刃５４を交換する際に、刈刃５４を回転軸５３に固定している締付けねじ５７を外すための回転力によって回転軸５３が共回りすることを防止することができる。また、ギヤケース５１を覆うカバー５９を設けたことにより、刈草はカバー５９に巻きつくため、ギヤケース５１内に刈草が侵入して刈刃５４の回転を阻害することを防止できる。仮に刈草が巻き付いたとしてもカバー５９の周りに巻き付くので、容易に刈草を取り除くことができる。また、回転軸５３の回転を規制するための規制部材５９Ｃが、カバー５９及びギヤケース５１の外にないので、規制部材５９Ｃに刈草が引っかかって回転軸５３の回転を規制することができず、刈刃５４を取り外せないということがない。更に、刈草が巻き付いた状態であっても、カバー５９は影響なく操作が可能であり、規制位置に移動させることができるため、刈刃５４を取り外すことができるとともに、巻き付いた刈草を刈刃を取り外した状態で容易に除去することができる。
【００５２】
また、第１ばね９１及び第２ばね９２の付勢力によってカバー５９を解除位置に保持することができる。カバー５９に外力がかかっていないとき、回転軸５３の回転は規制されない。換言すれば、作業者がカバー５９を操作しないときにはカバー５９は自動的に解除位置に位置し、作業者が意図してカバー５９を操作させたときにのみ、カバー５９を規制位置に位置させることができる。よって、実際には回転軸５３の回転規制が解除されていないのに作業者が回転規制を解除したと認識して、刈払機１が誤作動することを防止できる。
【００５３】
また、第１ばね９１がギヤケース５１の頭頂部５１Ｄ及びカバー５９の対向部５９Ｂに接続されているので、刈刃５４周辺の構成を複雑にすることなく、カバー５９を解除位置に付勢することができる。
【００５４】
また、カバー５９の開口部５９Ａとギヤケース５１との間に形成される隙間を塞ぐシール部材９３を備えるので、カバー５９内に刈草が侵入することを防止することができる。
【００５５】
また、カバー５９に設けられた規制部材５９Ｃを刃押さえ金具５５の係合部に係合させて回転軸５３の回転を規制することができる。よって、簡易な構成によって、係合部と一体的に回転する回転軸５３の回転を規制することができる。
【００５６】
また、係合部が複数設けられているので、作業部を回転させてカバー５９を規制位置に移動させる際の規制部材５９Ｃと係合部（貫通孔５５ｂ）との位置合わせが容易になる。
【００５７】
また、刈刃５４を交換する際に、カバー５９が当接するように刈払機１を地面や作業台上に載置することにより、刈払機１の自重によってカバー５９は自動的に解除位置から規制位置へ移動する。よって、作業部を交換する際の作業効率が向上する。
【００５８】
また、巻きつき防止カバー５８を設けたので、カバー５９と刈刃５４との間に刈草等が侵入することがないので、メンテナンス性が向上する。
【００５９】
また、案内レール５１Ｅによってカバー５９はギヤケース５１上を摺動することができる。よって、カバー５９を意図しない方向に移動させてしまい、カバー５９内の各部材が破損したり係合が解除されてしまったりすることを防止することができる。
【００６０】
また、作業者は指示部５９Ｅによってカバー５９が規制位置にあるのか解除位置にあるのかを視認することができる。よって、刈払機１を誤操作することを防止することができる。
【００６１】
図９は本発明の第２の実施の形態による刈払機の刃受け金具及び巻きつき防止カバーを示す上面図である。第２の実施の形態における刈払機では、刃受け金具が第１の実施の形態における刃受け金具とは異なっている。以下、第１の実施の形態と同一の部分は同一の参照番号を付し、説明を省略する。
【００６２】
刃受け金具１５５の刃受け部５５Ａには、貫通孔５５ｂに代えて切欠き１５５ｂが形成されている。切欠き１５５ｂは、一対の側面１５５Ａと、側面１５５Ａを接続する曲面１５５Ｂとによって規定される。一対の側面１５５Ａの間の幅と、曲面１５５Ｂの径は、規制部材５９Ｃの外径よりも大きい。カバー５９が刈刃５４側に移動して規制部材５９Ｃが側面１５５Ａ又は曲面１５５Ｂに係合することにより、刃受け金具５５の移動を規制することができる。このような構成によれば、貫通孔５５ｂと比較して、規制部材５９Ｃとの位置合わせが容易になる。よって、刈刃５４の交換作業の作業効率が向上する。
【００６３】
図１０は、本発明の第３の実施の形態による刈払機を示す。第３の実施の形態は、上述した実施の形態の刈刃５４に代えて、ナイロンコードカッタ２５４を作業部として設けている。ナイロンコードカッタ２５４は、回転軸５３（図３）と係合する本体部２５４Ａと、本体部２５４Ａの周面から突出するナイロンコード２５４Ｂとを有する。本体部２５４には、一体に設けられた図示しないナットを備え、前記ナットの雌ねじ部との螺合によりによって回転軸５３（図３）に固定されている。回転軸５３（図３）が回転することにより本体部２５４Ａ及びナイロンコード２５４Ｂが回転し、ナイロンコード２５４Ｂが草を刈ることができる。
【００６４】
このような構成によれば、図１０に示されるように刈払機を平坦でない地面に置いて作業する場合であっても、ナイロンコード２５４Ｂが地面に接してカバー５９の移動を阻害することがない。よって、作業台がない環境であっても、カバー５９を規制位置に移動させてナイロンコードカッタ２５４の交換を容易に行うことができる。
【００６５】
本発明の携帯用作業機は、上記した実施の形態に限定されるものではなく、本発明の要旨を逸脱しない範囲内において種々変更を加え得ることは勿論である。例えば、上述した実施の形態では、刃受け金具５５に規制部材５９Ｃと係合可能な貫通孔５５ｂを形成したが、刈払作業時に回転軸５３と一体的に回転する係合部を有する他の部材に係合部を設けてもよい。例えば、刈刃５４に規制部材５９Ｃと係合可能な貫通孔を形成してもよい。また、係合部は第２軸に直接設けられていても良い。
【００６６】
本発明の携帯用作業機は、上記した実施の形態に限定されるものではなく、駆動源としてエンジン２１を用いているが、それに代えて電動モータを用いてもよい。
【００６７】
本発明の携帯用作業機は、上記した実施の形態に限定されるものではなく、指示部５９Ｅとしてランプを使用したが、カバー５９を規制位置に移動させた際に目視可能であって、解除位置にあるときには目視不可能な、カバー５９が規制位置にあることを示す所定の印を用いてもよい。また、カバー５９はギヤケース５１を覆う構成としたが、ここで覆うとは、ギヤケース５１を完全に外部から隠す必要はなく、表面に被さるよう配設されていれば、開口を備えていてもよい。
【００６８】
また携帯用作業機の例として刈払機について説明したが、作業部（先端工具）がねじによって回転軸に固定されて回転することにより作業を行うディスクグラインダなどの作業機でもよい。
【符号の説明】
【００６９】
１  刈払機（携帯用作業機）
２１  エンジン（駆動源）
３２  シャフト（第１軸）
５１  ギヤケース
５１Ｄ  頭頂部
５１Ｅ  案内レール（案内部）
５２  ギヤ部
５３  回転軸（第２軸）
５４  刈刃（作業部）
５５、１５５  刃受け金具
５５ｂ  貫通孔
５６  刃押さえ金具
５７  締付けねじ
５８  巻きつき防止カバー（カバー部材）
５９  カバー
５９Ａ  開口部
５９Ｂ  対向部
５９Ｃ  規制部材
５９Ｅ  指示部（指示手段）
５９ａ  開口
９１  第１ばね（弾性部材）
９３  シール部材
２５４  ナイロンコードカッタ（作業部）
【図１】
2014233232.tif 000003
【図２】
2014233232.tif 000004
【図３】
2014233232.tif 000005
【図４】
2014233232.tif 000006
【図５】
2014233232.tif 000007
【図６】
2014233232.tif 000008
【図７】
2014233232.tif 000009
【図８】
2014233232.tif 000010
【図９】
2014233232.tif 000011
【図１０】
2014233232.tif 000012